【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
ユーザによって指示された、前記ユーザが録画を希望しない番組を示す第１の情報を記憶する第１の記憶手段と、
録画を予約する番組の条件である予約条件を記憶する予約条件記憶手段と、
番組配信情報に含まれる番組のメタデータを基に、前記第１の情報と、前記予約条件とから、番組の録画を制御するための第２の情報を生成する生成手段と、
前記第２の情報を基に、録画候補となる番組の一覧表であって、前記第１の情報によって示される前記番組を含まない録画候補一覧表を表示させる表示制御手段と
を備えることを特徴とする情報処理装置。
【請求項２】
前記生成手段は、前記メタデータを基に、前記予約条件から、番組の録画を制御するための情報を生成し、その情報から、前記第１の情報によって示される番組の録画を制御するための情報を削除することによって、前記第２の情報を生成する
ことを特徴とする請求項１に記載の情報処理装置。
【請求項３】
前記ユーザによって指示された、前記ユーザが録画を保留している番組を示す第３の情報を記憶する第２の記憶手段をさらに備え、
前記生成手段は、前記メタデータを基に、前記第１の情報、前記第３の情報、および前記予約条件から、前記第２の情報を生成し、
前記表示制御手段は、さらに、前記録画候補一覧表において、前記第３の情報によって示される番組と他の番組とを区別して表示させる
ことを特徴とする請求項１に記載の情報処理装置。
【請求項４】
前記表示制御手段は、さらに、前記録画候補一覧表において、前記第３の情報によって示される番組、前記ユーザが録画の予約を指示した番組、および前記予約条件を満たす番組を、それぞれ区別して表示させる
ことを特徴とする請求項３に記載の情報処理装置。
【請求項５】
前記表示制御手段は、前記録画候補一覧表において、前記第３の情報によって示される番組を、他の番組を表示する輝度より低い輝度で表示させる
ことを特徴とする請求項３に記載の情報処理装置。
【請求項６】
ユーザによって指示された、前記ユーザが録画を希望しない番組を示す第１の情報の記憶を制御する記憶制御ステップと、
録画を予約する番組の条件である予約条件の記憶を制御する予約条件記憶制御ステップと、
番組配信情報に含まれる番組のメタデータを基に、前記第１の情報と、前記予約条件とから、番組の録画を制御するための第２の情報を生成する生成ステップと、
前記第２の情報を基に、録画候補となる番組の一覧表であって、前記第１の情報によって示される前記番組を含まない録画候補一覧表を表示させる表示制御ステップと
を含むことを特徴とする情報処理方法。
【請求項７】
ユーザによって指示された、前記ユーザが録画を希望しない番組を示す第１の情報の記憶を制御する記憶制御ステップと、
録画を予約する番組の条件である予約条件の記憶を制御する予約条件記憶制御ステップと、
番組配信情報に含まれる番組のメタデータを基に、前記第１の情報と、前記予約条件とから、番組の録画を制御するための第２の情報を生成する生成ステップと、
前記第２の情報を基に、録画候補となる番組の一覧表であって、前記第１の情報によって示される前記番組を含まない録画候補一覧表を表示させる表示制御ステップと
を含むことを特徴とする情報処理をコンピュータに実行させるプログラムが記録されている記録媒体。
【請求項８】
ユーザによって指示された、前記ユーザが録画を希望しない番組を示す第１の情報の記憶を制御する記憶制御ステップと、
録画を予約する番組の条件である予約条件の記憶を制御する予約条件記憶制御ステップと、
番組配信情報に含まれる番組のメタデータを基に、前記第１の情報と、前記予約条件とから、番組の録画を制御するための第２の情報を生成する生成ステップと、
前記第２の情報を基に、録画候補となる番組の一覧表であって、前記第１の情報によって示される前記番組を含まない録画候補一覧表を表示させる表示制御ステップと
をコンピュータに実行させることを特徴とするプログラム。
【手続補正２】
【補正対象書類名】明細書
【補正対象項目名】００１１
【補正方法】変更
【補正の内容】
【００１１】
本発明の情報処理装置は、ユーザによって指示された、ユーザが録画を希望しない番組を示す第１の情報を記憶する第１の記憶手段と、録画を予約する番組の条件である予約条件を記憶する予約条件記憶手段と、番組配信情報に含まれる番組のメタデータを基に、第１の情報と、予約条件とから、番組の録画を制御するための第２の情報を生成する生成手段と、第２の情報を基に、録画候補となる番組の一覧表であって、第１の情報によって示される番組を含まない録画候補一覧表を表示させる表示制御手段とを備えることを特徴とする。
【手続補正３】
【補正対象書類名】明細書
【補正対象項目名】００１３
【補正方法】変更
【補正の内容】
【００１３】
情報処理装置には、ユーザによって指示された、ユーザが録画を保留している番組を示す第３の情報を記憶する第２の記憶手段をさらに設け、生成手段には、メタデータを基に、第１の情報、第３の情報、および予約条件から、第２の情報を生成させ、表示制御手段には、さらに、録画候補一覧表において、第３の情報によって示される番組と他の番組とを区別して表示させるようにすることができる。
【手続補正４】
【補正対象書類名】明細書
【補正対象項目名】００１４
【補正方法】変更
【補正の内容】
【００１４】
表示制御手段には、さらに、録画候補一覧表において、第３の情報によって示される番組、ユーザが録画の予約を指示した番組、および予約条件を満たす番組を、それぞれ区別して表示させるようにすることができる。
【手続補正５】
【補正対象書類名】明細書
【補正対象項目名】００１５
【補正方法】変更
【補正の内容】
【００１５】
表示制御手段には、録画候補一覧表において、第３の情報によって示される番組を、他の番組を表示する輝度より低い輝度で表示させるようにすることができる。
【手続補正６】
【補正対象書類名】明細書
【補正対象項目名】００１６
【補正方法】変更
【補正の内容】
【００１６】
本発明の情報処理方法は、ユーザによって指示された、ユーザが録画を希望しない番組を示す第１の情報の記憶を制御する記憶制御ステップと、録画を予約する番組の条件である予約条件の記憶を制御する予約条件記憶制御ステップと、番組配信情報に含まれる番組のメタデータを基に、第１の情報と、予約条件とから、番組の録画を制御するための第２の情報を生成する生成ステップと、第２の情報を基に、録画候補となる番組の一覧表であって、第１の情報によって示される番組を含まない録画候補一覧表を表示させる表示制御ステップとを含むことを特徴とする。
【手続補正７】
【補正対象書類名】明細書
【補正対象項目名】００１７
【補正方法】変更
【補正の内容】
【００１７】
本発明の記録媒体のプログラムは、ユーザによって指示された、ユーザが録画を希望しない番組を示す第１の情報の記憶を制御する記憶制御ステップと、録画を予約する番組の条件である予約条件の記憶を制御する予約条件記憶制御ステップと、番組配信情報に含まれる番組のメタデータを基に、第１の情報と、予約条件とから、番組の録画を制御するための第２の情報を生成する生成ステップと、第２の情報を基に、録画候補となる番組の一覧表であって、第１の情報によって示される番組を含まない録画候補一覧表を表示させる表示制御ステップとを含むことを特徴とする。
【手続補正８】
【補正対象書類名】明細書
【補正対象項目名】００１８
【補正方法】変更
【補正の内容】
【００１８】
本発明のプログラムは、ユーザによって指示された、ユーザが録画を希望しない番組を示す第１の情報の記憶を制御する記憶制御ステップと、録画を予約する番組の条件である予約条件の記憶を制御する予約条件記憶制御ステップと、番組配信情報に含まれる番組のメタデータを基に、第１の情報と、予約条件とから、番組の録画を制御するための第２の情報を生成する生成ステップと、第２の情報を基に、録画候補となる番組の一覧表であって、第１の情報によって示される番組を含まない録画候補一覧表を表示させる表示制御ステップとをコンピュータに実行させることを特徴とする。
【手続補正９】
【補正対象書類名】明細書
【補正対象項目名】００１９
【補正方法】変更
【補正の内容】
【００１９】
本発明の情報処理装置および方法、記録媒体、並びにプログラムにおいては、ユーザによって指示された、ユーザが録画を希望しない番組を示す第１の情報が記憶され、録画を予約する番組の条件である予約条件が記憶され、番組配信情報に含まれる番組のメタデータを基に、第１の情報と、予約条件とから、番組の録画を制御するための第２の情報が生成され、第２の情報を基に、録画候補となる番組の一覧表であって、第１の情報によって示される番組を含まない録画候補一覧表が表示される。
【手続補正１０】
【補正対象書類名】明細書
【補正対象項目名】００２４
【補正方法】変更
【補正の内容】
【００２４】
請求項１に記載の情報処理装置は、ユーザによって指示された、ユーザが録画を希望しない番組を示す第１の情報を記憶する第１の記憶手段（例えば、図３の録画除外対象リスト保持部７５）と、録画を予約する番組の条件である予約条件を記憶する予約条件記憶手段（例えば、図３のおまかせ条件保持部７３）と、番組配信情報に含まれる番組のメタデータを基に、第１の情報と、予約条件とから、番組の録画を制御するための第２の情報を生成する生成手段（例えば、図３の予約制御部７２）と、第２の情報を基に、録画候補となる番組の一覧表であって、第１の情報によって示される番組を含まない録画候補一覧表を表示させる表示制御手段（例えば、図３の表示制御部７８）とを備えることを特徴とする。
【手続補正１１】
【補正対象書類名】明細書
【補正対象項目名】００２６
【補正方法】変更
【補正の内容】
【００２６】
請求項３に記載の情報処理装置は、ユーザによって指示された、ユーザが録画を保留している番組を示す第３の情報を記憶する第２の記憶手段（例えば、図３の保留対象リスト保持部７４）をさらに備え、生成手段（例えば、図３の予約制御部７２）が、メタデータを基に、第１の情報（例えば、図３の録画除外対象リスト保持部７５が保持している録画除外対象リスト）、第３の情報、および予約条件から、第２の情報を生成し、表示制御手段（例えば、図３の表示制御部７８）が、さらに、録画候補一覧表において、第３の情報によって示される番組と他の番組とを区別して表示させることを特徴とする。
【手続補正１２】
【補正対象書類名】明細書
【補正対象項目名】００２７
【補正方法】変更
【補正の内容】
【００２７】
請求項４に記載の情報処理装置は、表示制御手段（例えば、図３の表示制御部７８）が、さらに、録画候補一覧表において、第３の情報（例えば、図３の保留対象リスト保持部７４が保持している保留対象リスト）によって示される番組、ユーザが録画の予約を指示した番組、および予約条件を満たす番組を、それぞれ区別して表示させることを特徴とする。
【手続補正１３】
【補正対象書類名】明細書
【補正対象項目名】００２８
【補正方法】変更
【補正の内容】
【００２８】
請求項５に記載の情報処理装置は、表示制御手段（例えば、図３の表示制御部７８）が、録画候補一覧表において、第３の情報（例えば、図３の保留対象リスト保持部７４が保持している保留対象リスト）によって示される番組を、他の番組を表示する輝度より低い輝度で表示させることを特徴とする。
【手続補正１４】
【補正対象書類名】明細書
【補正対象項目名】００２９
【補正方法】変更
【補正の内容】
【００２９】
請求項６に記載の情報処理方法は、ユーザによって指示された、ユーザが録画を希望しない番組を示す第１の情報の記憶を制御する記憶制御ステップ（例えば、図１２のステップＳ５６の処理）と、録画を予約する番組の条件である予約条件の記憶を制御する予約条件記憶制御ステップ（例えば、図１２のステップＳ５３の処理）と、番組配信情報に含まれる番組のメタデータを基に、第１の情報と、予約条件とから、番組の録画を制御するための第２の情報を生成する生成ステップ（例えば、図４のステップＳ１２の処理乃至ステップＳ１４の処理）と、第２の情報を基に、録画候補となる番組の一覧表であって、第１の情報によって示される番組を含まない録画候補一覧表を表示させる表示制御ステップ（例えば、図７のステップＳ３３の処理）とを含むことを特徴とする。